(57)【要約】【課題】コンクリートダムの施工における、コンクリート製造設備から現場にモルタルやコンクリートを運搬する間、及び、現場でのモルタルやコンクリートの打設作業において、モルタルやコンクリートを適切に養生できるようにするとともに、現場でのモルタルやコンクリートの打設作業においてモルタルやコンクリートを養生する場合に、噴霧手段の設置作業及び撤去作業を不要とできるようにすることを目的とする。【解決手段】水粒子を噴霧する噴霧手段２を、コンクリートダムを施工する際に使用する機械１である、トランスファーカ、ケーブルクレーン、グランドホッパ、ダンプトラック、ブルドーザ、振動締固め機、振動目地切り機、ホイルローダにそれぞれ設け、これら各機械の作動時において、これら各機械の噴霧手段を作動させてこれら各機械の周囲の雰囲気中の温度を下げるとともに雰囲気中の湿度を上げた状態として、コンクリートダムの施工を行う。【選択図】図１
2013253472.tif 000002
【特許請求の範囲】
【請求項１】
水貯留タンクと、噴霧ノズル部と、吸込口が水貯留タンクの水出口と連結されて吐出口が噴霧ノズル部の水導入口と連結されたポンプとを備え、ポンプが駆動されることによって噴霧ノズル部が水粒子を噴霧する噴霧手段を、コンクリートダムを施工する際に使用する機械である、トランスファーカ、ケーブルクレーン、グランドホッパ、ダンプトラック、ブルドーザ、振動締固め機、振動目地切り機、ホイルローダにそれぞれ設け、
コンクリート製造設備からコンクリートバケットにコンクリートやモルタルが入れられて、このコンクリートバケットがバンカー線を走行するトランスファーカを駆動するとともに当該トランスファーカの噴霧手段を作動させて、噴霧手段による噴霧によりトランスファーカの周囲の雰囲気中の温度を下げるとともに雰囲気中の湿度を上げた状態でコンクリートやモルタルが収納されたコンクリートバケットをケーブルクレーンの吊り込み位置まで運ぶステップと、
ケーブルクレーンを駆動するとともに当該ケーブルクレーンの噴霧手段を作動させて、ケーブルクレーンで吊られるコンクリートバケットの周囲の雰囲気中の温度を下げるとともに雰囲気中の湿度を上げた状態でコンクリートバケットをグランドホッパまで運ぶステップと、
グランドホッパの噴霧手段を作動させ、グランドホッパの周囲の雰囲気中の温度を下げるとともに雰囲気中の湿度を上げた状態として、コンクリートバケットのコンクリートやモルタルをグランドホッパ内に投入するステップと、
グランドホッパからのコンクリートやモルタルを積載したダンプトラックが、グランドホッパから打設現場までの運搬中及び打設現場にコンクリートやモルタルを滑り降ろす際に、ダンプトラックの噴霧手段を作動させ、ダンプトラックの周囲の雰囲気中の温度を下げるとともに雰囲気中の湿度を上げた状態とするステップと、
ダンプトラックから打設現場に降ろされたコンクリートやモルタルをブルドーザで敷き均す際に、ブルドーザの噴霧手段を作動させ、ブルドーザの周囲の雰囲気中の温度を下げるとともに雰囲気中の湿度を上げた状態とするステップと、
敷き均されたコンクリートを振動締固め機で締め固める際に、振動締固め機の噴霧手段を作動させ、振動締固め機の周囲の雰囲気中の温度を下げるとともに雰囲気中の湿度を上げた状態とするステップと、
締固めされたコンクリートを振動目地切り機で目地切りする際に、振動目地切り機の噴霧手段を作動させ、振動目地切り機の周囲の雰囲気中の温度を下げるとともに雰囲気中の湿度を上げた状態とするステップと、
ホイルローダでコンクリートの上にモルタルを敷き均す際に、ホイルローダの噴霧手段を作動させ、ホイルローダの周囲の雰囲気中の温度を下げるとともに雰囲気中の湿度を上げた状態とするステップと、
を備えたことを特徴とするコンクリートダムの施工法。
【発明の詳細な説明】
【技術分野】
【０００１】
本発明は、コンクリートダムの施工法、特に、コンクリートダムの施工時のモルタル又はコンクリートの養生に関する。
【背景技術】
【０００２】
一般にコンクリートダムの施工などを行う際には、打設されたコンクリートの表面に散水するなどのコンクリートの湿潤養生を行うことによって、コンクリートの所要強度を確保するとともにひび割れのような初期欠陥を防止することが知られている。特に、夏期においては初期乾燥などが顕著となるので、初期養生が重要である。
また、打設されたコンクリート又は打設中のコンクリートの上面に、略１００μｍ又は１００μｍ以下の水粒子を噴霧して該打設されたコンクリート又は打設中のコンクリートを湿潤雰囲気中にて養生するようにしたコンクリートの施工法が知られている（例えば、特許文献１等参照）。
【先行技術文献】
【特許文献】
【０００３】
【特許文献１】特許第２８５４２１８号特許公報
【発明の概要】
【発明が解決しようとする課題】
【０００４】
上述したコンクリートの施工法では、略１００μｍ又は１００μｍ以下の水粒子の噴霧を、定置式の噴霧手段を用いて行う。
従って、コンクリート製造設備から現場にコンクリートを運搬する間に運搬中のコンクリートを養生することができない。
また、現場でのモルタルやコンクリートの打設作業においてモルタルやコンクリートを養生する場合、噴霧ノズル及びホースのような噴霧路を支持するための支柱や脚柱のような支持機構が必要となり、脚柱をコンクリート中に埋め込まなくてはならない。また、型枠に踏板を掛け渡して作業足場を形成しなくてはならない。さらに、コンプレッサの設置場所も確保しなくてはならない。従って、噴霧手段の設置作業が大変となる。また、コンクリートの施工を終了した後に、噴霧手段の撤去作業も必要となる。
また、コンクリートダムの施工のように、コンクリートをリフト（１つのブロックで１回に連続してコンクリートを打設する部分）毎に打継ぐ場合には、脚柱をコンクリート中に埋め込まず、コンクリートの打設作業の対象となるリフトの周囲に噴霧路を支持するための支持機構を設置する必要がある。従って、リフト毎に、支持機構の盛り替え作業（つまり、支持機構の設置作業及び撤去作業）、および、それに伴う噴霧路及びコンプレッサの設置作業及び撤去作業が必要となる。即ち、従来の定置式の噴霧手段を用いてコンクリートダムの施工を行う場合も、噴霧手段の設置作業及び撤去作業が大変である。
そこで、本発明は、コンクリートダムの施工における、コンクリート製造設備から現場にモルタルやコンクリートを運搬する間、及び、現場でのモルタルやコンクリートの打設作業において、モルタルやコンクリートを適切に養生できるようにするとともに、現場でのモルタルやコンクリートの打設作業においてモルタルやコンクリートを養生する場合に、噴霧手段の設置作業及び撤去作業を不要とできるようにすることを目的とする。
【課題を解決するための手段】
【０００５】
本発明に係るコンクリートダムの施工法は、水貯留タンクと、噴霧ノズル部と、吸込口が水貯留タンクの水出口と連結されて吐出口が噴霧ノズル部の水導入口と連結されたポンプとを備え、ポンプが駆動されることによって噴霧ノズル部が水粒子を噴霧する噴霧手段を、コンクリートダムを施工する際に使用する機械である、トランスファーカ、ケーブルクレーン、グランドホッパ、ダンプトラック、ブルドーザ、振動締固め機、振動目地切り機、ホイルローダにそれぞれ設け、コンクリート製造設備からコンクリートバケットにコンクリートやモルタルが入れられて、このコンクリートバケットがバンカー線を走行するトランスファーカを駆動するとともに当該トランスファーカの噴霧手段を作動させて、噴霧手段による噴霧によりトランスファーカの周囲の雰囲気中の温度を下げるとともに雰囲気中の湿度を上げた状態でコンクリートやモルタルが収納されたコンクリートバケットをケーブルクレーンの吊り込み位置まで運ぶステップと、ケーブルクレーンを駆動するとともに当該ケーブルクレーンの噴霧手段を作動させて、ケーブルクレーンで吊られるコンクリートバケットの周囲の雰囲気中の温度を下げるとともに雰囲気中の湿度を上げた状態でコンクリートバケットをグランドホッパまで運ぶステップと、グランドホッパの噴霧手段を作動させ、グランドホッパの周囲の雰囲気中の温度を下げるとともに雰囲気中の湿度を上げた状態として、コンクリートバケットのコンクリートやモルタルをグランドホッパ内に投入するステップと、グランドホッパからのコンクリートやモルタルを積載したダンプトラックが、グランドホッパから打設現場までの運搬中及び打設現場にコンクリートやモルタルを滑り降ろす際に、ダンプトラックの噴霧手段を作動させ、ダンプトラックの周囲の雰囲気中の温度を下げるとともに雰囲気中の湿度を上げた状態とするステップと、ダンプトラックから打設現場に降ろされたコンクリートやモルタルをブルドーザで敷き均す際に、ブルドーザの噴霧手段を作動させ、ブルドーザの周囲の雰囲気中の温度を下げるとともに雰囲気中の湿度を上げた状態とするステップと、敷き均されたコンクリートを振動締固め機で締め固める際に、振動締固め機の噴霧手段を作動させ、振動締固め機の周囲の雰囲気中の温度を下げるとともに雰囲気中の湿度を上げた状態とするステップと、締固めされたコンクリートを振動目地切り機で目地切りする際に、振動目地切り機の噴霧手段を作動させ、振動目地切り機の周囲の雰囲気中の温度を下げるとともに雰囲気中の湿度を上げた状態とするステップと、ホイルローダでコンクリートの上にモルタルを敷き均す際に、ホイルローダの噴霧手段を作動させ、ホイルローダの周囲の雰囲気中の温度を下げるとともに雰囲気中の湿度を上げた状態とするステップと、を備えたことを特徴とする。
【発明の効果】
【０００６】
本発明のコンクリートダムの施工法によれば、コンクリートダムの施工時において、モルタル又はコンクリートの運搬又は打設作業の際に噴霧される液体によって雰囲気温度を下げることができるとともに相対湿度を上げることができるので、コンクリートやモルタルの所要強度を確保するとともにひび割れのような初期欠陥を防止することができるコンクリートダムを構築でき、また、噴霧手段の設置作業及び撤去作業を不要とできる。
【図面の簡単な説明】
【０００７】
【図１】機械の構成を示す図（実施形態）。
【図２】機械としての振動締固め機を示す図（実施形態）。
【図３】噴霧ノズル部の断面図（実施形態）。
【発明を実施するための形態】
【０００８】
図１乃至図３は実施形態を示し、図１は噴霧手段を搭載した機械を示し、図２は噴霧手段を搭載した機械としての振動締固め機を示し、図３は噴霧ノズル部の断面を示す。
【０００９】
図１；図２に示すように、機械１は噴霧手段２を備える。噴霧手段２は、支柱３、噴霧ノズル部４、水貯留タンク５、ポンプ６、コンプレッサ７、水供給ホース８、圧縮空気供給ホース９、コンプレッサ及びポンプの駆動電源１０を備える。支柱３は、機械の例えば屋根や荷台に設けられる。水貯留タンク５、ポンプ６、コンプレッサ７、駆動電源１０は、例えば機械１に搭載される。駆動電源１０は、機械１のバッテリー、あるいは、機械１に搭載される発電機を用いる。尚、３９は開閉バルブである。
【００１０】
噴霧ノズル部４としては、１００μｍ以下の水粒子（液体粒子）を噴霧可能な構成のものを使用する。例えば、図３（ａ）；図３（ｂ）に示すような、二流体ノズルと呼ばれるものを用いる。
【００１１】
図３（ａ）に示す噴霧ノズル部４は、ケーシング２０に、水導入口１１、圧縮空気導入口１２、水噴射口１３、圧縮空気噴射口１４、水導入口１１と水噴射口１３とを繋ぐ導水路１５、圧縮空気導入口１２と圧縮空気噴射口１４とを繋ぐ導気路１６を備えた構成である。この噴霧ノズル部４は、導水路１５と水噴射口１３とで形成された一端開口水管路１８と、導気路１６と圧縮空気噴射口１４とで形成された一端開口気管路１９とを備えたケーシング２０により形成される。つまり、一端開口水管路１８が一端開口気管路１９の内側に設けられて、一端開口水管路１８と一端開口気管路１９とが同軸状に設けられた管路構成を備える。この噴霧ノズル部４は、水噴射口１３で形成される液膜に集中的に高速気流をあてることで水微粒化噴霧を実現する構成である。
【００１２】
図３（ｂ）に示す噴霧ノズル部４は、ケーシング２０に、水導入口１１、圧縮空気導入口１２、混合部２１、噴射口２２を備えた構成である。即ち、水導入口１１より導入された水と圧縮空気導入口１２より導入された圧縮空気とが混合部２１で混合されることにより水微粒化噴霧を実現する構成である。
【００１３】
図３（ａ）；図３（ｂ）に示した噴霧ノズル部４は、水導入口１１と圧縮空気導入口１２とがケーシング２０にそれぞれ個別に設けられる。噴霧ノズル部４は、噴霧角度範囲が例えば１５°程度のものを用いればよい。図２の符号Ｈは、噴霧ノズル部４から噴霧された水粒子を示す。
【００１４】
水貯留タンク５の水出口３１とポンプ６の吸込口３２とが連結ホース３３で繋がれ、ポンプ６の吐出口３４と噴霧ノズル部４の水導入口１１とが水供給ホース３５で繋がれる。コンプレッサ７の圧縮空気吐出口３６と噴霧ノズル部４の圧縮空気導入口１２とが圧縮空気供給ホース３７で繋がれる。
【００１５】
以上の構成による噴霧手段２において、駆動電源１０が投入されてコンプレッサ７及びポンプ６が駆動されることによって、噴霧ノズル部４が１００μｍ以下の水粒子を噴霧する。
【００１６】
コンクリートダムを施工する場合、上記機械１としては、トランスファーカ、バケット台車、ベルトコンベヤ、コンクリートバケット、ケーブルクレーン、グランドホッパ、ダンプトラック等のような、コンクリート製造設備で製造されたモルタル又はコンクリートを打設現場に運搬するために用いられる運搬用機械、及び、ブルドーザ、振動締固め機、振動目地切り機、ホイルローダ、バックホウ等のような、打設現場でのモルタル又はコンクリートの打設作業に用いられる打設作業用機械がある。
【００１７】
例えば、図２に示すように、振動締固め機のアーム部や後部に支柱３を取り付け、振動締固め機の機体に、コンプレッサ７、水貯留タンク５、ポンプ６を搭載する。支柱３の先端部に噴霧ノズル部４を固定する。水供給ホース８や圧縮空気供給ホース９は、噴霧ノズル部４に予め繋いでおいたり、支柱３の先端部に固定された噴霧ノズル部４に後付けすればよい。
【００１８】
機械１を用いたコンクリートダムの施工法の一例を説明する。コンクリートダムの施工順序は、まず、コンクリート製造設備からコンクリートバケットにコンクリートやモルタルが入れられて、このコンクリートバケットがバンカー線を走行する例えばトランスファーカのような運搬設備によってケーブルクレーンの吊り込み位置まで運搬される。ケーブルクレーンによりコンクリートバケットがグランドホッパまで移動され、コンクリートバケットのコンクリートやモルタルがグランドホッパ内に投入される。コンクリートやモルタルがグランドホッパからダンプトラックの荷台に積め込まれる。コンクリートやモルタルがダンプトラックで打設現場まで運搬され、打設現場に降ろされる。例えば、打設現場に降ろされたコンクリートがブルドーザによって敷き均されて１リフト分のコンクリート打設が行われる。敷き均されたコンクリートが振動締固め機で締め固めされる。締固めされた１リフト分のコンクリートの層（レイヤ）が振動目地切り機で目地切りされる。この目地切りはコンクリートの層にクラックが発生するのを防止するために行われる。そして、ホイルローダでコンクリートの上にモルタルを敷き均した後に、この敷き均したモルタルの上に、上述した一連の作業を繰り返して次層のコンクリート打設を行う。このような、打設作業を繰り返すことにより、コンクリートダムを施工する。
【００１９】
上述した施工法において、例えばトランスファーカを駆動するとともにトランスファーカに設けられた噴霧手段２を作動させて、噴霧手段２による噴霧によりトランスファーカの周囲の雰囲気中の温度を下げるとともに雰囲気中の湿度を上げた状態でコンクリートやモルタルが収納されたコンクリートバケットをケーブルクレーンの吊り込み位置まで運ぶ。ケーブルクレーンを駆動するとともに噴霧手段２を作動させて、ケーブルクレーンで吊られるコンクリートバケットの周囲の雰囲気中の温度を下げるとともに雰囲気中の湿度を上げた状態でコンクリートバケットをコンクリート製造設備からグランドホッパまで運ぶ。グランドホッパでも噴霧手段２を作動させて、グランドホッパの周囲の雰囲気中の温度を下げるとともに雰囲気中の湿度を上げた状態とする。グランドホッパからのコンクリートやモルタルを積載したダンプトラックは、グランドホッパから打設現場までの運搬中及び打設現場にコンクリートやモルタルを滑り降ろす際に、噴霧手段２を作動させ、ダンプトラックの周囲の雰囲気中の温度を下げるとともに雰囲気中の湿度を上げた状態とする。打設現場に降ろされたコンクリートやモルタルをブルドーザで敷き均す際にブルドーザの噴霧手段２を作動させ、ブルドーザの周囲の雰囲気中の温度を下げるとともに雰囲気中の湿度を上げた状態とする。敷き均されたコンクリートを振動締固め機で締め固める際に、振動締固め機の噴霧手段２を作動させ、振動締固め機の周囲の雰囲気中の温度を下げるとともに雰囲気中の湿度を上げた状態とする。締固めされたコンクリートを振動目地切り機で目地切りする際に、振動目地切り機の噴霧手段２を作動させ、振動目地切り機の周囲の雰囲気中の温度を下げるとともに雰囲気中の湿度を上げた状態とする。そして、ホイルローダでコンクリートの上にモルタルを敷き均す際に、ホイルローダの噴霧手段２を作動させ、ホイルローダの周囲の雰囲気中の温度を下げるとともに雰囲気中の湿度を上げた状態とする。
【００２０】
雰囲気中の温度を下げるとともに雰囲気中の湿度を上げた状態とは、例えば、夏期において、雰囲気環境内の気温を外気温よりも１℃〜５℃下げ、かつ、雰囲気環境内の湿度を雰囲気環境外の湿度よりも１％〜１０％上げた状態を言う。
即ち、モルタル又はコンクリートの運搬又は打設作業の際に機械１に搭載された噴霧手段２により水を噴霧して、雰囲気環境内の気温を外気温よりも１℃〜５℃下げ、かつ、雰囲気環境内の湿度を雰囲気環境外の湿度よりも１％〜１０％上げた状態にすることで、コンクリートやモルタルを適切に養生する。
【００２１】
以上のように、実施形態では、コンクリート製造設備で製造されたモルタル又はコンクリートを打設現場に運搬するために用いられる運搬用の機械１、及び、打設現場でのモルタル又はコンクリートの打設作業に用いられる打設作業用の機械１に、噴霧手段を搭載し、コンクリートやモルタルの運搬、及び、コンクリートやモルタルの打設作業の際に、機械１に搭載された噴霧手段２により水を噴霧することによってコンクリートやモルタルを適切に養生できる。
即ち、実施形態によるコンクリートやモルタルの養生方法によれば、コンクリート製造設備から打設終了に至るまでのコンクリートやモルタルの置かれる雰囲気中の温度を下げるとともに雰囲気中の湿度を上げた状態とできるので、コンクリートやモルタルの所要強度を確保するとともにひび割れのような初期欠陥を防止することができる。
そして、機械１が噴霧手段２を搭載していることから、機械１の移動によって噴霧手段２が設置されたり撤去されたりすることになるので、噴霧手段２の設置作業及び撤去作業が不要となる。
さらに、噴霧手段２が、１００μｍ以下の水粒子を噴霧する構成を備えたので、噴霧された１００μｍ以下の水粒子が気化するので、加水によってモルタルやコンクリートの強度が低下するようなことも防止できる。また、作業員の水濡れを防止でき、作業性の低下を防止できる。
【産業上の利用可能性】
【００２２】
運搬及び打設中にコンクリートやモルタルに悪影響を及ぼすことが無ければ、１００μｍ以上の水粒子を噴霧する噴霧手段を用いてもよい。
噴霧ノズル部は、複数基をまとめて使用してもよい。
コンプレッサによる圧縮空気を混合しない構成、即ち、ポンプの水圧により噴霧する一流体ノズルと呼ばれる噴霧ノズル部を備えた構成の噴霧手段を用いてもよい。
機械に対する噴霧手段の設置位置は限定されない。
コンプレッサやポンプは、専用の起動スイッチの投入により作動するようにしたり、機械のエンジン始動に連動させて作動させる構成としてもよい。
噴霧手段で水以外の液体、例えば、水に物質を溶解した水溶液を噴霧してもよい。
【符号の説明】
【００２３】
１  機械、２  噴霧手段、４  噴霧ノズル部。
【図１】
2013253472.tif 000003
【図２】
2013253472.tif 000004
【図３】
2013253472.tif 000005